(57)【特許請求の範囲】
【請求項１】
炉壁に設けたキャリヤ出入口から炉室内へキャリヤを出入自在にした加熱炉において、
前記キャリヤ出入口は、炉室全体の前側開口部を覆う前面壁の一部に設けられた前記前側開口部よりも小さな開口面積を有する小窓部であり、
前記キャリヤを炉内へ送り込んだとき前記キャリヤの一部で前記小窓部を覆うとともに、前記キャリヤを引き出したときは前記キャリヤの一部又はキャリヤと別に設けた開閉部材で前記小窓部を覆うことを特徴とする加熱炉。
【請求項２】
前記キャリヤの出入時手前側となる部分に前側シール壁を設け、かつ前記キャリヤの出入時手奥側となる部分に後側シール壁を設け、これら前側シール壁又は後側シール壁により前記キャリヤの出入時に前記小窓部を覆うことを特徴とする請求項１に記載した加熱炉。
【請求項３】
キャリヤ引き出し時に小窓部を覆う前記開閉部材が、前記小窓部へ設けられかつ前記キャリヤの出入に応じて自動又は手動で開閉する小窓扉であることを特徴とする請求項１に記載した加熱炉。
【請求項４】
前記キャリヤが棚又は引き出し状であることを特徴とする請求項１乃至は３のいずれかに記載した加熱炉。
【請求項５】
前記キャリヤを複数設けるとともに、このキャリヤの数に応じて前記小窓部を複数設けたことを特徴とする請求項４に記載した加熱炉。
【発明の詳細な説明】
【０００１】
【発明の属する技術分野】
この発明は、プラスチック材料等のワークを加熱や乾燥等するためにに用いる加熱炉に関する。
【０００２】
【従来の技術】
この種の加熱炉として、炉壁に炉室へ通じる開口を設け、この開口から炉室内へワークを支持するキャリヤを出入自在とし、キャリヤを炉室内へ送り込んでワークを所定温度の熱風等により所定時間加熱した後、炉室からキャリヤを引き出してワークを取り出すようになっているものは公知である。この炉室内にはファンが設けられ、炉室内の空気を強制的に循環させるようになっている。
【０００３】
【発明が解決しようとする課題】
ところで、上記加熱炉のように構成すると、キャリヤの出入時に開口が大きく開放される結果、室温の外気が炉室内に流入するので、炉内の急激な温度低下を招くことになり、ワークの出し入れを終えて炉室開閉扉を閉めた後から炉室内が所定温度に復帰するまで著しく長い時間を必要とする。殊に、炉室内空気をファンにて強制循環する形式では、熱の散逸を抑制するためキャリヤの出入時にファンを停止しなければならないので、炉内の温度分布が不均一になり、その後における炉室内温度の復帰までにやはり時間を要することになった。
【０００４】
このように炉内温度が大きく変化すると、エネルギーロスが大きくなり、加熱時間も著しく長くなる。また、炉室開閉扉付近は扉を開いたとき熱風にさらされるため作業環境が悪化し、ワークの正確なセットや取り出しを困難にしていた。そのうえ、加熱条件が一定せず正確にワークを加熱できないので、製品の品質がばらつくことになった。特に加熱条件を設定するための加熱テストの場合に正確な再現性のあるデータを得られなかった。そこで、本願発明は係る問題点の解決を目的とする。
【０００５】
【課題を解決するための手段】
上記課題を解決するため本願発明に係る加熱炉は、炉壁に設けたキャリヤ出入口からキャリヤを炉室内へ出入自在にした加熱炉において、
前記キャリヤ出入口は、炉室全体の前側開口部を覆う前面壁の一部に設けられ、前記前側開口部よりも小さな開口面積を有する小窓部であり、
前記キャリヤを炉内へ送り込んだとき前記キャリヤの一部で前記小窓部を覆うとともに、前記キャリヤを引き出したときは前記キャリヤの一部又はキャリヤと別に設けた開閉部材で前記小窓部を覆うことを特徴とする。
【０００６】
このとき、前記キャリヤの出入時手前側となる部分に前側シール壁を設け、かつ前記キャリヤの出入時手奥側となる部分に後側シール壁を設け、これら前側シール壁又は後側シール壁により前記キャリヤの出入時に前記小窓部を覆うようにしてもよいい。
【０００７】
また、前記キャリヤ引き出し時に前記小窓部を覆う開閉部材を、前記小窓部へ設けられ、前記キャリヤの出入に応じて自動又は手動で開閉する小窓扉とすることもできる。
【０００８】
さらに、前記キャリヤを棚又は引き出し状に形成することができる。また前記キャリヤを複数設けるとともに、このキャリヤの数に応じて前記小窓部を複数設けたこともできる。
【０００９】
【発明の効果】
本願発明は、キャリヤ出入口を、炉室全体の前側開口部を覆う前面壁の一部に設けられ、前側開口部よりも小さな開口面積を有する小窓部としたので、キャリヤの出入に伴う炉室の開口面積を可及的に小さくできる。そのうえ、キャリヤを炉内へ送り込んだときその一部で小窓部を覆うとともに、キャリヤを引き出したときはその一部又はキャリヤと別に設けた開閉部材で小窓部を覆うので、小窓部の開放時間を極力短縮できる。
【００１０】
したがって、キャリヤの出入に伴う熱の散逸を抑制してエネルギーロスを抑制できる。また、炉内の急激な温度低下を防ぎ、ワークの出し入れを終えた後において炉室内が所定温度に復帰する時間を著しく短縮できる。そのうえ、ファンを設けた場合でもキャリヤの出入時にファンを停止しなけくても済むので、炉室内温度の復帰時間をさらに短縮できる。
【００１１】
さらに、加熱炉の外へ流出する熱風が少なくなるので、キャリヤ出入口近傍における作業環境が改善され、ワークの正確なセットや取り出しを容易にする。そのうえ、加熱条件が一定するので、正確にワークを加熱できるようになり製品の品質を安定させることができる。特に加熱条件を設定するための加熱テストの場合に正確な再現性のあるデータを得ることができる。
【００１２】
また、キャリヤの出入時手前側となる部分に前側シール壁を設け、奥側となる部分に後側シール壁を設ければ、キャリヤを炉室内へ送り込んだときは前側シール壁で小窓部を覆い、逆にキャリヤを引き出したときは後側シール壁により小窓部を覆うことができるので、小窓部の開閉部材としてキャリヤを有効利用でき、特別の小窓部用開閉部材を設けなくても済む。
【００１３】
これに対して、キャリヤ引き出し時に小窓部を開閉自在に覆う小窓扉を設け、キャリヤの出入に応じて自動又は手動で開閉するようにすれば、キャリヤに後側シール壁を設けなくても済むため、キャリヤ構造の自由度が高くなり、キャリヤを小窓部へ差し込み易くなる。
【００１４】
さらに、キャリヤを棚又は引き出し状に形成すれば、ワークに応じた支持構造を採用できる。またキャリヤを複数設けるとともに、このキャリヤの数に応じて小窓部を複数設ければ、一度に大量のワークを扱えるとともに、キャリヤ出入時の開口面積を可及的に小さくできる。
【００１５】
【発明の実施の形態】
以下、図面に基づいて一実施例を説明する。図１は本実施例に係る加熱炉の縦断面図、図２はその横断面図（図１の２−２線断面）、図３はキャリヤを引き出した状態の図１に対応する図、図４は加熱炉の正面（図１のＡ矢示方向）図、図５はキャリヤ出入時の温度変化を従来例とともに示すグラフである。
【００１６】
この加熱炉は１は、乾燥や種々の加熱処理（例えば、発泡塩ビ等の発泡や熱硬化樹脂の熱硬化など）に使用される熱風炉であり、炉室２内に所定温度の熱風をファン３にて強制的に循環させるようになっている。但し、加熱炉の加熱形式は遠赤外線を用いる等種々の方式が可能である。
【００１７】
この炉室２を囲む炉壁４の一部であり、炉室２の前面側に臨む炉室全体の開口部である前側開口部２ａを覆う前面壁４ａに小窓部５が設けられ、この小窓部５を通して炉室２が外部と連通される。小窓部５を囲む前面壁４ａの肉厚部分は、炉室２側へ向かって次第に小窓部５の中央へせり出す曲面６をなし、この曲面６のうち最も炉室２側の部分は小窓部５の間口を最も狭める突出部７になっている。
【００１８】
突出部７は、炉室２の上壁４ｂ及び底壁４ｃとの間にそれぞれ段差８をなし、この段差８は上壁４ｂ及び底壁４ｃに対して直交する小窓部５へ向かって一段高くなった平面であり、図２に示すように前面壁４ａの内面と同一面で連続している。なお、小窓部５は前面壁４ａの一部に左右方向へ偏って設けられ、左右の側壁４ｄの一方から隔たって設けられている。
【００１９】
炉室２内にはキャリヤ１０が小窓部５から出入自在になっている。キャリヤ１０は、ワーク（図示省略）を支持するための台車状の部材であり、ワークを支持する本体部１１を備え、小窓部５を通過できる大きさになっている。
【００２０】
なお、本願において前後方向とは、キャリヤ１０の出入方向を指し、キャリヤ１０についてはその出入時手前側を前側、奥側を後側という。また加熱炉については小窓部５側を前側、炉室２の内部奥側でキャリヤ１０の後部が臨む側を後側というものとする。
【００２１】
キャリヤ１０の加熱炉１外側に位置する部分には開閉用扉１２が設けられ、小窓部５の周囲の前面壁４ａの外面へ当接する大きさになっている。開閉用扉１２の中央部にはハンドル１３が設けられ、開閉用扉１２の下部にはキャスター１４が設けられる。キャスター１４は前面壁４ａより外側の床面上を移動する。
【００２２】
開閉用扉１２と本体部１１との間は炉壁３の肉厚分程度の幅をなす連結部１５が設けられ、連結部１５と本体部１１との間に前側シール壁１６が設けられる。前側シール壁１６は小窓部５とほぼ同形同寸に形成された耐熱材料製であって、突出部７よりも手前側に位置し、キャリヤ１０を炉室２内へ送り込んだとき、開閉用扉１２が炉壁４の前面壁４ａへ当接すると同時に突出部７近傍の曲面６へ周囲が気密に当接するようになっている。
【００２３】
本体部１１の炉室内最奥側となる後部にも後側シール壁１７が設けられ、その下部には耐熱材料で作られたキャスター１８が設けられる。後側シール壁１７は小窓部５よりも若干大きく形成され、キャリヤ１０を炉室２を引き出したとき、小窓部５を囲む段差８及び前面壁４ａの内面へ周囲が気密に当接して小窓部５を閉じるようになっている。キャスター１８は底壁４ｃ上を移動し、このときキャリヤ１０が略水平になるようキャスター１４との間で高さ調節される。
【００２４】
図４に示すように、小窓部５の開口部横幅Ｗ１は、炉室全体における前側開口部２ａの横幅Ｗ２よりも著しく小さく、かつそれぞれの開口部の上下幅は比較的近似したものになっている。その結果、小窓部５の開口面積は、炉室全体における前側開口部２ａの開口面積よりも著しく小さくなっている。また、小窓部５を覆う前側シール壁１６（及び後側シール壁１７）は小窓部５の開口部における形状及び大きさにほぼ近似している。
【００２５】
次に、本実施例の作用を説明する。例えば壁紙用の発泡塩ビシートに対する発泡テストをおこなう場合、あらかじめ炉室２内を熱風により発泡に適した所定温度、例えば４００℃に昇温しておくとともに、炉室２から引き出したキャリヤ１０に発泡塩ビシートをワークとして本体部１１へ吊り下げ等により支持させる。
【００２６】
このとき、図３に明らかなように、前側シール壁１６は小窓部５を開放しているが、後側シール壁１７の周囲がが小窓部５を囲む段差８及び前面壁４ａの内面へ気密に当接して小窓部５を閉じているため、炉室２の炉内温度は一定になっている。
【００２７】
この状態でキャリヤ１０を小窓部５から炉室２内へ送り込むと、後側シール壁１７が小窓部５の周囲から離れて瞬間的に小窓部５を介して炉室２と外部とを連通するが、図１に明らかなように、直ちに前側シール壁１６の周囲が突出部７の曲面６へ気密に接触して小窓部５を閉じる。このとき、前側シール壁１６の周囲は突出部７近傍の曲面６へ当接するので、一種のテーパー合わせにより気密かつ迅速に密接できる。
【００２８】
したがって、炉室２の炉内温度にほとんど変化を生じさせずに炉室２内へ本体部１１を送り込むことができ、本体部１１を所定時間炉室２内へ置くことによりワークを加熱して発泡テストを完了する。
【００２９】
その後、ハンドル１３をもって、キャリヤ１０を引き出すと、一瞬、前側シール壁１６が突出部７近傍の曲面７から離れて小窓部５を開放し、外部と炉室２内が連通するが、図３に明らかなように、直ちに後側シール壁１７が小窓部５の周囲へ気密に接触して小窓部５を閉じるため、炉室２の炉内温度変化を極小に止める。
【００３０】
このように本実施例は、前側シール壁１６と後側シール壁１７を設けて出入時のいずれでも小窓部５を閉じるようにしたので、キャリヤ１０の本体部１１を炉室２内へ出入させても、炉室２内の炉内温度変化をほとんど生じないようにできるので、本実施例の発泡テストの場合は、正確な加熱温度でテストでき、信頼性の高いデータを得ることができる。
【００３１】
従来の加熱炉では、例えば棚や網に直接置いて実験又は製造が不都合な、接触できないワークワークの加熱等において、炉室２内の定位置にセットするときに思わぬ時間を要すなどして、扉を開いた状態がその都度長くなったり短くなったりしてしまい、発泡条件等の微妙なデータの再現性の点で不満足である。
【００３２】
また、例えば液晶フィルムの加熱等において、仮に恒温時間を一定としも扉の開閉時間の長短が物性の上昇条件の差異となり、ポットライフが加工条件の重要な要素となる場合に恒温時間の一定だけでは、再現性、上昇カーブの重要性の把握に不安がある。
【００３３】
しかしながら、本願発明によれば、接触できないワークは、炉外でキャリヤ１０の定位置にセットすることが可能となり、サンプルの出し入れにおいて、ほとんど恒温状態での実験や製造が可能になる。
【００３４】
さらに、このように本体部１１を炉室２内へ出入させても、炉室２内の高温の雰囲気がほとんど逃げることはなく、かつ低温の外気が炉室２内の高温の雰囲気に混入することがほとんど生じないので、その出入させる際のエネルギーのロスは非常に小さい。また、本体部１１を炉室２内へ出入させても、小窓部５の近傍における作業環境を改善でき、加熱炉１の外部にて本体部１１に対するワークのセットや取り出し等の操作を余裕をもってできる。
【００３５】
そのうえ、図２に明らかなように、小窓部５は炉室２の幅に対して比較的小さく、炉室２内の熱量が十分に大きいため、本実施例のように小窓部５を短時間開放した程度ではほとんど炉内温度に変化を生じさせないようにできる。しかも、キャリヤ１０の出入時にもファン３を停止せずに炉室２の内部空気を強制循環できるので、これによっても炉室２の炉内温度を均一化させておくことができる。
【００３６】
図５は、炉内を１００℃に加熱した恒温状態で、キャスターを出入したときの炉内における温度変化を従来例と比較したグラフである。まず上段のＡに示す従来例では、恒温状態（約１００℃）からキャリヤを短時間引き出した後すぐ炉内へ戻すと、温度最降下点ａでは約１０℃の低下が見られる。またキャリヤを戻してから恒温状態に復帰するポイントｂまでに約６０秒を要する。なおポイントａのキャリヤ操作はワークのセットを意味するので、その後取り出しのために再びキャリヤを操作することになり、このときポイントｃなるａと同様の温度降下が生じる。
【００３７】
これに対して、下段のＢに示す本実施例では、同様に操作したとき、ポイントａでは約１℃の低下が見られ、また恒温状態に復帰するポイントｂまでに約２０秒を要した。したがって、本実施例の方が従来例よりも著しく温度低下が少なくなってエネルギーロスを減少させることができ、かつ恒温復帰を短時間にできるので、炉内を恒温に保時間を長くでき、炉内の加熱温度を均一化できることは明らかである。
【００３８】
なお、Ａ、Ｂはキャリヤ及びその出入部構造を除き、ワークを用いない無負荷状態等同一条件でおこなった結果である。従来例の場合は炉室の前側開口部全体が一つの扉（本実施例の前面壁４ａに相当する部分）で開閉されるようになっている。
【００３９】
図６は、キャスターが炉室外に取り付けられた第２実施例の縦断面図であり、キャスターを炉室内に配置するばかりでなく、炉室外に配置させるようにもできることを示す。すなわち、本体部１１の下方に平行して加熱炉１の底部下方空間内へ出入可能なキャリヤ底部２０が開閉用扉１２から後方へ延出し、このキャリヤ底部２０の底面に適宜数のキャスター２１が回動自在に取り付けられ、加熱炉１の置かれれている接地面２２上を移動可能になっている。
【００４０】
このようにすれば、キャスター２１を炉室２の内部へ配置しなくてもよくなるので、炉室内の底壁４ｃに付着したゴミや樹脂があってもこれらに関係なくキャスター２１はスムーズに移動でき、その結果、キャリヤ１０も底壁４ｃの汚れに影響されずに移動して、シール壁１６や後側シール壁１７が曲面６や段差８に当接して気密を保つことができる。また、炉室２の内部がキャスター２１を劣化させるような酸化雰囲気等の場合でも、キャスター２１の劣化を防止してメンテナンス回数を削減できる。
【００４１】
図７は、第３実施例に係る図５と同様の断面図であり、この例では図６におけるキャリヤ１０の本体部１１に代えて、略水平に前後方向へ延出する棚状部材２３を上下方向へ複数段に設けてある。また、後側シール壁２４は各棚状部材２３毎に設けられ、図５の上下方向に長い後側シール壁１７を各棚状部材２３毎に分割したものに相当する。
【００４２】
さらに、前側シール壁１６で覆われる小窓部５の内側に内壁２５を設け、この内壁に各棚状部材２３を出入可能にするとともに各後側シール壁２４で閉じられる大きさの微小窓部２６を設けてある。このようにするとワーク支持部を多段にして一度により多くのワークを加熱処理できるとともに、微小窓部２６によりキャリヤ出入時の開口面積をさらに小さくできる。
【００４３】
図８は、第４実施例に係る加熱炉の正面図であり、この例では上下方向に長い縦長の引き出し状をなすキャリヤ１０を複数横へ並べてある。この場合、小窓部５も相似形状の縦長開口部をなして複数横並びに形成され、各開閉用扉１２が前側シール壁を兼ねて小窓部５を覆うようになっている。このようにすると、キャリヤ１０の数を多くできるので、一度に多数のワークを加熱処理ででき、しかもワーク毎に加熱時間等を異にした処理が可能になる。そのうえ引き出し状にすることでワークの配置が正確かつ迅速になり、特に深底形状のため背の高いワークの処理に適している。
【００４４】
図９は、第５実施例に係る前実施例同様の正面図であり、この例では左右方向に長い横長の引き出し状をなすキャリヤ１０を複数上下へ並べてある。このようにすると、キャリヤ１０が浅深底形状のため背の低いワークや小物ワークの処理に適している。
【００４５】
図１０は第６実施例に係る図７同様の断面図であり、この例では図７と同様の棚状部材２３を有するキャリヤ１０を設けてあるが、各棚状部材２３毎に設けられる後側シール壁２４は設けられず、その代わり各微少窓部２６に小窓用扉３０を開閉自在に設けてある。またキャリヤ１０の引き出し時には各棚状部材２３は完全に炉外へ出るようになっている。
【００４６】
小窓用扉３０は、前面壁４ａの下方に設けた接近センサー３１，３２により、キャリヤ底部２０の後端である後方突出部３３の接近又は離反を検知して自動的に開閉するようになっている。後方突出部３３は各棚状部材２３の後端部よりも長く後方へ延出している。
【００４７】
このキャリヤ１０を炉内へ送り込むと、後方突出部３３が接近センサー３１を通って同３２に近接すると、小窓用扉３０を開き、各棚状部材２３の後端部をそれぞれの対応する微少窓部２６へ差し込み可能になる。なお、キャリヤ１０の送り込み時には前側シール壁２６が小窓部５を覆う。逆にキャリヤ１０を引き出すときは、後方突出部３３が接近センサー３２を通って同３１に近接すると小窓用扉３０を閉じる。
【００４８】
このようにすると、後側シール壁２４（図６）を設けないことにより、キャリヤ１０の引き出し時に各棚状部材２３は完全に炉外へ出してワークのセットや取り出しをおこなうことができるのでワークを扱う作業が正確かつ容易になる。そのうえキャリヤ１０を完全に炉外へ出しても微少窓部２６を小窓用扉３０で覆うことができる。小窓用扉３０の自動開閉機構はエアー式、機械式、あるいは電動式等種々可能である。
【００４９】
なお、小窓用扉３０の開閉は手動式であってもよいい。さらに小窓用扉３０はこのように各微小窓部２６毎に独立したものではなく、図中に仮想線で示すような連続する一枚物のシャッター３４であってもよいい。この場合シャッター３４には各微小窓部２６に対応した窓穴が設けられており、このシャッター３４を加熱炉の上方に設けたスプロケット３５で巻き上げ又は下げることにより各微小窓部２６を開閉する。この場合にも手動による巻き上げ等の手動操作がにしてもよいい。  図１１は第７実施例に係る図１と同様の断面図であり、この例では図１の加熱炉１に対して後部璧相当部を後部開閉扉３６として、炉室２における後方開口部全体を開閉可能にしてある。符号３７は扉のハンドルである。このようにすると、炉室２ないの清掃等が必要なとき、後部開閉扉３６を開いて炉室２の後部全体を開放できるため、メンテナンス性が向上する。
【００５０】
なお、本願発明は上記実施例に限定されず、同一の発明原理内において種々に変形や応用が可能である。例えば、加熱炉１は上記のようなテストばかりでなく、乾燥や熱硬化性樹脂の熱硬化等の種々な加熱処理に使用でき、このような加熱処理された製品の品質を高めることができる。
【００５１】
さらに、前側シール壁１６と後側シール壁１７及びこれらが接触する相手側に弾性部材からなる公知のシール部材を介在させてもよいい。また、後側シール壁１７もテーパー合わせに接合させることもできる。そのうえ、小窓部５の開閉時間を安定させるため、キャリヤ１０の移動をエアーシリンダ等の機械的手段でおこなうことにより自動化させてもよいい。この場合の駆動形式はエアー式、機械式、あるいは電動式等種々可能である。
【図面の簡単な説明】
【図１】第１実施例に係る加熱炉の縦断面図
【図２】この加熱炉の横断面図（図１の２−２線断面）
【図３】使用状態を説明する図１に対応する図
【図４】第１実施例に係る加熱炉の正面図
【図５】キャスターを出入したときの炉内温度変化を示すグラフ
【図６】第２実施例の縦断面図
【図７】第３実施例の縦断面図
【図８】第４実施例に係る加熱炉の正面図
【図９】第５実施例に係る加熱炉の正面図
【図１０】第６実施例の使用状態縦断面図
【図１１】第７実施例の縦断面
【符号の説明】
１：加熱炉、２：炉室、３：ファン、５：小窓部、６：曲面、１０：キャリヤ、１１：本体部、１２：開閉用扉、１６：前側シール壁、１７：後側シール壁、２３：棚状部、２６：微小窓部、３０：小窓用扉
【図１】
0004608142.tif 000002
【図２】
0004608142.tif 000003
【図３】
0004608142.tif 000004
【図４】
0004608142.tif 000005
【図５】
0004608142.tif 000006
【図６】
0004608142.tif 000007
【図７】
0004608142.tif 000008
【図８】
0004608142.tif 000009
【図９】
0004608142.tif 000010
【図１０】
0004608142.tif 000011
【図１１】
0004608142.tif 000012